(57)【特許請求の範囲】
【請求項１】
少なくとも１つの音源が設けられ、前記音源のオーディオ信号に関する音場データを制御するように構成された音響装置であって、
第１の表示部を有する主ユニットと、第２の表示部を有する従ユニットとが設けられ、
前記主ユニットおよび前記従ユニットは互いに通信線にて接続され、
前記従ユニットには、前記音場データが複数設定されると共に、該音場データを前記主ユニット側に送信する音場データ設定・送信手段が設けられ、
前記主ユニットには、前記音場データ設定・送信手段から前記音場データを受信してこれを前記第１の表示部に表示実行する音場データ表示手段と、この第１の表示部における表示状況を示す表示状況データを前記従ユニット側に送信する表示状況データ送信手段とが設けられ、
さらに前記従ユニットには、前記表示状況データ送信手段からの前記表示状況データの受信を監視するデータ監視手段と、このデータ監視手段が前記表示状況データを受信した際に前記音場データ設定・送信手段に設定された前記音場データのうち１つのグループに一括してまとめられた一覧データを前記第２の表示部に表示実行する一覧データ表示手段とが設けられたことを特徴とする音響装置。
【請求項２】
前記音場データが、オーディオ信号における周波数特性カーブおよび周波数特性を制御するためのパラメータから構成されたことを特徴とする請求項１記載の音響装置。
【請求項３】
前記音場データ表示手段または前記一覧データ表示手段が前記周波数特性カーブの全てを一括して前記第１の表示部または前記第２の表示部に表示実行するように構成されたことを特徴とする請求項２記載の音響装置。
【請求項４】
前記音場データ表示手段または前記一覧データ表示手段が前記周波数特性カーブの１つと、この周波数特性カーブに対応する前記パラメータの全てとを一括して前記第１の表示部または前記第２の表示部に表示実行するように構成されたことを特徴とする請求項２記載の音響装置。
【請求項５】
前記音場データ表示手段または前記一覧データ表示手段がオーディオ信号における周波数特性カーブの全領域を前記第１の表示部または前記第２の表示部に表示実行するように構成されたことを特徴とする請求項２記載の音響装置。
【請求項６】
少なくとも１つの音源が設けられ、前記音源に関連するタイトルを入力するように構成された音響装置であって、
第１の表示部を有する主ユニットと、第２の表示部を有する従ユニットとが設けられ、
前記主ユニットおよび前記従ユニットは互いに通信線にて接続され、
前記主ユニットには、前記タイトルの入力操作を行うタイトル入力操作手段と、前記タイトル入力操作手段からのタイトル入力操作信号を受けてタイトル入力表示を前記第１の表示部に表示実行するタイトル入力表示手段と、前記第１の表示部における表示状況を示す表示状況データを前記従ユニット側に送信する表示状況データ送信手段とが設けられ、
前記表示状況データ送信手段は前記タイトル入力操作手段からタイトル入力操作信号を受取り、これをタイトル入力開始信号として前記従ユニット側に送信するように構成され、
前記従ユニットには、前記表示状況データ送信手段からの前記表示状況データの受信を監視するデータ監視手段と、このデータ監視手段が前記表示状況データ送信手段から前記タイトル入力開始信号を受信した際に前記第１の表示部が表示している前記タイトル入力表示に対応して前記音源自体が持つ音源データを前記第２の表示部に表示実行する音源データ表示手段とが設けられたことを特徴とする音響装置。
【請求項７】
前記音源データがラジオの受信周波数表示から構成されたことを特徴とする請求項６記載の音響装置。
【請求項８】
前記表示状況データ送信手段は前記第１の表示部における表示状況データとしてタイトル入力状態データを前記従ユニット側に送信するように構成され、
前記従ユニットには、前記データ監視手段が前記表示状況データ送信手段から前記タイトル入力状態データを受信した際に、タイトル入力状態を前記第２の表示部に表示実行するタイトル入力状態表示手段が設けられたことを特徴とする請求項６または７記載の音響装置。
【請求項９】
前記表示状況データ送信手段は前記第１の表示部における表示状況データとして入力中または入力完了したタイトル文字のデータを前記従ユニット側に送信するように構成され、
前記従ユニットには、前記データ監視手段が前記表示状況データ送信手段から前記入力中または入力完了したタイトル文字のデータを受信した際に、入力中または入力完了したタイトル文字を前記第２の表示部に表示実行するタイトル文字表示手段が設けられたことを特徴とする請求項６、７または８記載の音響装置。
【発明の詳細な説明】
【０００１】
【発明の属する技術分野】
本発明は、イコライザ機能およびタイトル入力機能を備えた音響装置に係り、特に、前記機能におけるデータの表示技術に関する。
【０００２】
【従来の技術】
オーディオ機器分野の多機能化が著しい近年、イコライザ機能やタイトル入力機能を備えた音響装置が広く知られている。イコライザ機能とは、オーディオ信号の周波数帯を複数のバンドに分割し、各バンドごとにパラメータであるゲインやＱ値などを調整して周波数特性を制御するパラメトリックイコライザ機能であり、通常、周波数特性カーブを表示するグラフィックイコライザ（以下、Ｇ．ＥＱと呼ぶ）あるいは単にパラメトリックイコライザ（以下、Ｐ．ＥＱと呼ぶ）として装備されている。このようなＰ．ＥＱによれば、操作性の簡便化を図ることができるため、車載用機器などに好適である。
【０００３】
また、タイトル入力機能とは、音響装置に含まれる音源、具体的にはラジオ放送局名や受信周波数あるいはＣＤ／ＭＤチェンジャに収納されたディスクのタイトルを、ユーザー自身がアルファベットや数字で登録できる機能であり、ラジオの文字放送やタイトル入力可能なＭＤの普及した近年、注目を集めている。タイトル入力機能を持つ音響装置は、音源自体が持つ音源データ（例えば音源がチューナーである時のラジオの受信周波数）を表示している画面を、タイトル入力モード画面に切替えてタイトル入力を行うようになっており、音声情報と同時に文字情報も出力することができるので、ユーザーに与える情報量を格段に増やすことが可能である。
【０００４】
以上述べた２つの機能は、音声情報の出力を主眼とする音響装置にあって、周波数特性カーブやタイトルといった画像情報・文字情報の出力、つまりデータ表示が不可欠であるといった共通点がある。情報形態が複合化したマルチメディアが浸透する現代において、このようなデータ表示を実行可能な音響装置は高い需要を得ることが予想されており、音響装置におけるデータ表示技術に関して視認性や操作性の向上が強く要求されている。特に、車載用機器分野では安全性を確保する観点からも、優れた視認性や操作性を持つ音響装置が待たれている。
【０００５】
【発明が解決しようとする課題】
ところが、従来の音響装置ではデータの表示画面が１つしかなかったため、表示されるデータ量が少なく、表示されるデータが制約されて視認性や操作性が低かった。具体的には、イコライザ機能を有する音響装置の場合、周波数特性を１バンド分だけしか表示していなかった。このため、各バンドの周波数特性の違いを正確に見分けるには何度も同じような操作を繰り返さらくてはならず、周波数特性を全領域にわたって制御することは煩わしく面倒であった。また、周波数特性を制御するためのパラメータは通常複数あるが、この場合も表示画面にパラメータを１つずつ表示し、表示されたパラメータごとに調整を行わなくてはならなかった。したがって、やはり操作性が低かった。
【０００６】
一方、タイトル入力機能を備えた音響装置においては、タイトル入力を実行開始すると、音源データが表示された画面からタイトル入力モード画面に切替わるので、タイトルを付加しようとしている最中はチューナーにおけるラジオ受信周波数などタイトル付加時に参照となる音源データを表示することができなかった。また、タイトル入力モード画面では入力したタイトルが実際にどのような状態で画面に表示されるのかを確認することができなかった。つまり、タイトル入力機能はタイトルを入力した後では情報量を増大させる優れた機能となり得るが、タイトルを入力する時点での操作が面倒であるため、使用に際しての心理的な負担が大きく、その機能を十分に活かすことができていなかった。
【０００７】
本発明は、以上のような従来技術の持つ問題点を解消するために提案されたものであり、その目的は、イコライザ機能あるいはタイトル入力機能などデータ表示機能を有する音響装置において、データ表示の視認性および操作性の向上を図る音響装置を提供することにある。
【０００８】
【課題を解決するための手段】
上記の目的を達成するために、請求項１に記載の発明は、少なくとも１つの音源が設けられ、前記音源のオーディオ信号に関する音場データを制御するように構成された音響装置であって、第１の表示部を有する主ユニットと、第２の表示部を有する従ユニットとが設けられ、前記主ユニットおよび前記従ユニットは互いに通信線にて接続され、前記従ユニットには、前記音場データが複数設定されると共に、該音場データを前記主ユニット側に送信する音場データ設定・送信手段が設けられ、前記主ユニットには、前記音場データ送信手段から前記音場データを受信してこれを前記第１の表示部に表示実行する音場データ表示手段と、この第１の表示部における表示状況を示す表示状況データを前記従ユニット側に送信する表示状況データ送信手段とが設けられ、さらに前記従ユニットには、前記表示状況データ送信手段からの前記表示状況データの受信を監視するデータ監視手段と、このデータ監視手段が前記表示状況データを受信した際に前記音場データ設定・送信手段に設定された前記音場データのうち１つのグループに一括してまとめられた一覧データを前記第２の表示部に表示実行する一覧データ表示手段とが設けられたことを特徴とする。
【０００９】
このような請求項１の発明では、従ユニット側の音場データ設定・送信手段が音場データを主ユニット側に送信すると、前記主ユニット側の音場データ表示手段がこれを受信し、前記第１の表示部に音場データを表示実行する。このとき、表示状況データ送信手段は第１の表示部における表示状況を示す表示状況データを検出して、これを従ユニット側に送信する。
【００１０】
一方、従ユニット側ではデータ監視手段が表示状況データ送信手段からの表示状況データの受信を監視しており、データ監視手段が表示状況データを受信すると、一覧データ表示手段が音場データ設定部に設定された一覧データを第２の表示部に表示実行する。
【００１１】
このような請求項１の発明においては、２つの独立したユニットがそれぞれ表示部を備え、主ユニット側の表示部に所望の音場データを選択的に表示することができると同時に、従ユニット側の表示部に一覧データを表示することができる。したがって、一覧データを参照して音場データ全体のイメージを把握しつつ、主ユニット側表示部に表示された所望の音場データに対して、調整制御を行うことが可能となる。しかも、従ユニット側のデータ監視手段が主ユニット側の表示状況を監視し、この表示状況に合せて従ユニット側の表示手段を動作させることができるため、関連のある２種類の表示データを確実に連動表示することが可能である。
【００１２】
請求項２記載の発明は、請求項１記載の音響装置において、前記音場データが、オーディオ信号における周波数特性カーブおよび周波数特性を制御するためのパラメータから構成されたことを特徴としている。
【００１３】
このような請求項２の発明では、音場データとして周波数特性カーブおよび周波数特性制御用のパラメータを用いるため、これらのデータを調整制御するイコライザ機能付きの音響装置に好適である。
【００１４】
請求項３記載の発明は、請求項２記載の音響装置において、前記音場データ表示手段または前記一覧データ表示手段が前記周波数特性カーブの全てを一括して前記第１の表示部または前記第２の表示部に表示実行するように構成されたことを特徴とする。
【００１５】
このような請求項３の発明では、音場データ表示手段または一覧データ表示手段が周波数特性カーブの全てを一括して第１の表示部または第２の表示部に表示実行するので、周波数特性カーブ全体のイメージを把握し易く、周波数特性カーブをバンドごとにいちいち表示部に呼出すといった手間がかからず、周波数特性カーブに関する制御を簡単に行うことができる。
【００１６】
請求項４記載の発明は、請求項２記載の音響装置において、前記音場データ表示手段または前記一覧データ表示手段が前記周波数特性カーブの１つと、この周波数特性カーブに対応する前記パラメータの全てとを一括して前記第１の表示部または前記第２の表示部に表示実行するように構成されたことを特徴とするものである。
【００１７】
以上のような請求項４の発明においては、音場データ表示手段または一覧データ表示手段が周波数特性カーブの１つと、この周波数特性カーブに対応するパラメータの全てとを一括して第１の表示部または第２の表示部に表示実行するため、パラメータを１つずつ表示部に呼出して調整するといった面倒な作業を行う必要がなくなる。したがって、パラメータ調整が容易となり、迅速且つ適確に周波数特性を制御することができる。
【００１８】
請求項５記載の発明は、請求項２記載の音響装置において、前記音場データ表示手段または前記一覧データ表示手段がオーディオ信号における周波数特性カーブの全領域を前記第１の表示部または前記第２の表示部に表示実行するように構成されたことを特徴とする。
【００１９】
このような請求項５の発明では、音場データ表示手段または一覧データ表示手段が周波数特性カーブの全領域を第１の表示部または第２の表示部に連続的に表示するので、周波数特性カーブ全体を視覚的に認識することができ、周波数特性カーブの制御操作が行い易くなる。
【００２０】
請求項６記載の発明は、少なくとも１つの音源が設けられ、前記音源に関連するタイトルを入力するように構成された音響装置であって、第１の表示部を有する主ユニットと、第２の表示部を有する従ユニットとが設けられ、前記主ユニットおよび前記従ユニットは互いに通信線にて接続され、前記主ユニットには、前記タイトルの入力操作を行うタイトル入力操作手段と、前記タイトル入力操作手段からのタイトル入力操作信号を受けてタイトル入力表示を前記第１の表示部に表示実行するタイトル入力表示手段と、前記第１の表示部における表示状況を示す表示状況データを前記従ユニット側に送信する表示状況データ送信手段とが設けられ、前記表示状況データ送信手段は前記タイトル入力操作手段からタイトル入力操作信号を受取り、これをタイトル入力開始信号として前記従ユニット側に送信するように構成され、前記従ユニットには、前記表示状況データ送信手段からの前記表示状況データの受信を監視するデータ監視手段と、このデータ監視手段が前記表示状況データ送信手段から前記タイトル入力開始信号を受信した際に前記第１の表示部が表示している前記タイトル入力表示に対応して前記音源自体の持つ音源データを前記第２の表示部に表示実行する音源データ表示手段とが設けられたことを特徴とする。
【００２１】
このような請求項６の発明では、まずタイトル入力操作手段がタイトル入力操作信号を出力すると、主ユニット側ではタイトル入力表示手段がこの信号を受けてタイトル入力表示を第１の表示部に表示実行する。また、表示状況データ送信手段はタイトル入力操作手段からタイトル入力操作信号を受取り、これをタイトル入力開始信号として従ユニット側に送信する。従ユニット側ではデータ監視手段が表示状況データ送信手段からタイトル入力開始信号を受信し、このとき音源データ表示手段は第１の表示部が表示しているタイトル入力表示に対応して音源自体が持つ音源データを第２の表示部に表示実行する。
【００２２】
以上のような請求項６の発明においては、２つの独立したユニットがそれぞれ表示部を備えており、一方の表示部がタイトル入力表示を行い、他方の表示部が音源データを表示することができる。つまり、タイトル入力を実行開始しても、音源データの表示を維持することができる。これにより、タイトル入力操作時の視認性および操作性が格段に向上する。
【００２３】
請求項７記載の発明は、請求項６記載の音響装置において、前記音源データがラジオの受信周波数データから構成されたことを特徴とする。
【００２４】
このような請求項７の発明では、ラジオの受信周波数データを音源データとしているため、チューナーを音源とした場合に最適である。
【００２５】
請求項８記載の発明は、請求項６または７記載の音響装置において、前記表示状況データ送信手段は前記第１の表示部における表示状況データとしてタイトル入力状態データを前記従ユニット側に送信するように構成され、前記従ユニットには、前記データ監視手段が前記表示状況データ送信手段から前記タイトル入力状態データを受信した際に、タイトル入力状態を前記第２の表示部に表示実行するタイトル入力状態表示手段が設けられたことを特徴とする。
【００２６】
以上のような請求項８の発明では、表示状況データ送信手段が第１の表示部における表示状況データとしてタイトル入力状態データを従ユニット側に送信すると、従ユニット側のデータ監視手段がこれを受信し、タイトル入力状態表示手段がタイトル入力状態を第２の表示部に表示実行する。そのため、タイトル入力操作時に、第２の表示部において音源データの表示に加えてタイトル入力状態を表示することができる。したがって、第１の表示部側がタイトル入力状態であることが強くアピールでき、タイトル入力操作に際して、その視認性・操作性を大幅に高めることができる。これにより、タイトル入力操作時の面倒さを克服でき、タイトル入力機能を十分に活かすことができる。
【００２７】
請求項９記載の発明は、請求項６、７または８記載の音響装置において、前記表示状況データ送信手段は前記第１の表示部における表示状況データとして入力中または入力完了したタイトル文字のデータを前記従ユニット側に送信するように構成され、前記従ユニットには、前記データ監視手段が前記表示状況データ送信手段から前記入力中または入力完了したタイトル文字のデータを受信した際に、入力中または入力完了したタイトル文字を前記第２の表示部に表示実行するタイトル文字表示手段が設けられたことを特徴とする。
【００２８】
以上のような請求項９の発明では、表示状況データ送信手段が第１の表示部における表示状況データとして入力中または入力完了したタイトル文字のデータを従ユニット側に送信すると、従ユニット側のデータ監視手段がこれを受信し、タイトル文字表示手段が入力中または入力完了したタイトル文字を第２の表示部に表示実行する。そのため、タイトル入力モード画面では確認することができなかった入力中または入力完了したタイトル文字に関して、第２の表示部において確認が可能となった。したがって、第２の表示部のタイトル文字表示を見ながら、第１の表示部側でタイトル入力操作を行うことができ、入力ミスのない優れた入力操作性を獲得することができる。
【００２９】
【発明の実施の形態】
以下、本発明による音響装置の実施の形態の一例について、図面を参照して具体的に述べる。
【００３０】
（１）第１の実施の形態
［構成］
請求項１〜５の発明を包含する第１の実施の形態の構成について、図１のシステムブロック図、図２の各ユニットの概略を示す正面図を参照して具体的に説明する。なお、第１の実施の形態は、音場データとして周波数特性カーブおよび周波数特性制御用のパラメータを用いたイコライザ機能付きの音響装置であり、そのデータ表示技術に特徴がある。
【００３１】
図１および図２に示すように、第１の実施の形態は、２つのユニット、すなわち音源としてＣＤプレーヤおよびチューナーを備えたセンターユニット１と、Ｐ．ＥＱおよびＤＳＰ（デジタルシグナルプロセッサ）を含むＧ．ＥＱを内蔵したスレーブユニット２とから構成される音響装置であり、各ユニット１，２にはそれぞれ独立して、第１および第２の操作部３，４ならびに第１および第２の表示部５，６が設けられている。なお、第１および第２の操作部３，４には少なくともＧ．ＥＱを操作するためのＧ．ＥＱキーおよびＰ．ＥＱを操作するためのＰ．ＥＱキーが設けられている。
【００３２】
また、図１に示すように、センターユニット１とスレーブユニット２とは互いにバスライン７にて結線接続されており、このバスライン７によりユニット１，２間における信号の送受信を行うように構成されている。さらに、スレーブユニット２側には音場データが設定されると共に、この音場データをセンターユニット１側に送信する音場データ設定・送信手段８とが設けられている。
【００３３】
音場データ設定・送信手段８には音場データとして、バンド１〜６までのＧ．ＥＱカーブ、バンド１〜３までのＰ．ＥＱカーブおよび周波数特性を制御するための５つのパラメータ、すなわちフロント／リア切替え、フロント／リアのバンド切替え、周波数、ゲイン、Ｑ値といったデータが設定されている。
【００３４】
また、スレーブユニット２側には、データ監視手段１２と、一覧データ表示手段１３とが設けられている。データ監視手段１２とは、後述するセンターユニット１側の表示状況データ送信手段１１からの表示状況データの受信を監視する手段である。一覧データ表示手段１３は、所定の操作信号を受けて、あるいはデータ監視手段１２が表示状況データを受信した際に、音場データ設定・送信手段８から音場データを取得して、複数の音場データがひとまとまりにされた一覧データを第２の表示部６に表示実行するようになっている。
【００３５】
センターユニット１側には、操作手段９と、音場データ表示手段１０と、表示状況データ送信手段１１とが設けられている。操作手段９は第１の操作部３から操作信号を受けてスレーブユニット２側にコマンド信号を送ったり、音場データ表示手段１０に対して音場データを操作する操作信号を送ったりする手段である。音場データ表示手段１０とは、スレーブユニット２側の音場データ設定・送信手段８から音場データを受信してこれを第１の表示部５に表示実行する手段である。また、表示状況データ送信手段１１とは第１の表示部５における表示状況を示す表示状況データを検出し、これをスレーブユニット２側のデータ監視手段１２に送信する手段である。
【００３６】
［作用および効果］
以上のような構成を有する第１の実施の形態においては、▲１▼Ｇ．ＥＱカーブ一括表示、▲２▼Ｇ．ＥＱカーブ連動表示、▲３▼Ｐ．ＥＱカーブ・パラメータ一括表示、▲４▼Ｐ．ＥＱカーブ全領域表示、▲５▼Ｐ．ＥＱカーブ連動表示という５つのモードをとる。
【００３７】
▲１▼Ｇ．ＥＱカーブ一括表示…図３、図４参照
図３に示すように、ステップ１−１にてＧ．ＥＱキーの押下げを検出すると、音場データ設定・送信手段８が一覧データ表示手段１３に対して６つのＧ．ＥＱカーブのデータを順次送り、一覧データ表示手段１３が第２の表示部６の所定の位置に表示する（ステップ１−２からステップ１−７まで）。このようにして一覧データ表示手段１３が６つのＧ．ＥＱカーブデータを一覧データとして一括表示を行う。図４はＧ．ＥＱカーブ一括表示の実行結果画面例であり、ほぼ６分割された画面にＧ．ＥＱカーブが表示されている。
【００３８】
以上のようなＧ．ＥＱカーブ一括表示を行う第１の実施の形態では、Ｇ．ＥＱカーブ全体を把握することができる。そのため、周波数特性カーブをバンドごとにいちいち表示部６に呼出す必要がなく、Ｇ．ＥＱ表示データに対する視認性・操作性を向上させることができる。
【００３９】
▲２▼Ｇ．ＥＱカーブ連動表示…図５〜図７参照
続いて、Ｇ．ＥＱカーブ連動表示について説明する。図５に示すようにセンターユニット１側では、ステップ２−１にてＧ．ＥＱキーの押下げを検出すると、ステップ２−２にてセンターユニット１の操作手段９がスレーブユニット２側の音場データ設定・送信手段８に対し、所望のＧ．ＥＱカーブ、その周波数およびゲインを含むＧ．ＥＱ表示データを要求するコマンドを送信する。ステップ２−３ではスレーブユニット２側からの要求コマンドの応答として音場データ表示手段１０が音場データ設定・送信手段８からＧ．ＥＱ表示データを受信したかを判定する。
【００４０】
受信するまでは処理をウェイトするが、音場データ表示手段１０がＧ．ＥＱ表示データを受信したら、表示状況データ送信手段１１が第１の表示部５における表示状況データとしてこれを検出し、ステップ２−４にてスレーブユニット２側のデータ監視手段１２に表示許可用のＧ．ＥＱコマンドを送信する。そして、ステップ２−５にて音場データ表示手段１０が所望のＧ．ＥＱカーブ、その周波数およびゲインを第１の表示部５の所定の位置に表示実行する。
【００４１】
一方、図６に示すようにスレーブユニット２側では、ステップ３−１にて音場データ設定・送信手段８がセンターユニット１からＧ．ＥＱ表示データ要求コマンドを受信したかどうかを判定する。受信するまでは処理をウェイトするが、受信したならば、音場データ設定・送信手段８がＧ．ＥＱ表示データをセンターユニット１側に送信する（ステップ３−２）。
【００４２】
その後、ステップ３−３ではデータ監視手段１２がセンターユニット１側からの表示許可用Ｇ．ＥＱコマンドの受信したかどうかを判定する。ステップ３−１と同様、受信するまでは処理をウェイトするが、データ監視手段１２が表示許可用Ｇ．ＥＱコマンドを受信すれば、一覧データ表示手段１３は音場データ設定・送信手段８に設定された６つのＧ．ＥＱカーブに関するカーブ一覧データを第２の表示部６に表示実行する（ステップ３−４）。なお、６つのＧ．ＥＱカーブの一括表示に関しては、前述した図３のフローチャートと同じ動作を行っている。また、上記の説明ではウェイト処理は存在するが、応答時間の監視、コマンド／表示データの再送信などのエラー処理に関しては説明の都合上省略している。ただし、実際のシステムではこれらの処理が行われていることは言うまでもない。図７では以上のようなＧ．ＥＱカーブ連動表示の実行結果画面例を示しており、上段が第１の表示部５におけるＧ．ＥＱ表示データの表示、下段が第２の表示部６におけるＧ．ＥＱカーブ一括表示（図４と同じ）である。
【００４３】
このようなＧ．ＥＱカーブ連動表示を行う第１の実施の形態によれば、センターユニット１側の表示部５に所望のＧ．ＥＱ表示データを選択的に表示できると同時に、スレーブユニット２側の表示部６に６つのＧ．ＥＱカーブを一括して連動表示できる。すなわち、２つの表示部５，６に、関連する２つの表示データを連動させて表示できる。そのため、視認性および操作性が大きく向上し、Ｇ．ＥＱカーブ全体のイメージを把握しつつ、所望のＧ．ＥＱ表示データに関して適確で迅速な調整制御を行うことが可能となる。
【００４４】
▲３▼Ｐ．ＥＱカーブ・パラメータ一括表示…図８、図９参照
図８に示すように、ステップ４−１にてＰ．ＥＱキーの押下げを検出すると、音場データ設定・送信手段８が一覧データ表示手段１３に対してカレントバンドデータを順次送る。そして、一覧データ表示手段１３が音場データ設定・送信手段８からカレントバンドデータを取得すると（ステップ４−２）、第２の表示部６の所定の位置にカレントバンドデータを表示する（ステップ４−３）。そして、音場データ設定・送信手段８が一覧データ表示手段１３に５つのパラメータを順次送り、一覧データ表示手段１３がこれを取得して第２の表示部６の所定の位置に順次表示していく（ステップ４−４からステップ４−８まで）。なお、カレントバンドはフロント／リア切替え、フロント／リアのバンド切替えが設定されたバンドとする。このようなＰ．ＥＱカーブ・パラメータ一括表示の実行結果画面例を図９に示す。すなわち、画面左側に１つのＰ．ＥＱカーブが表示され、画面右側の上下方向に５つのパラメータが並んで表示されている。
【００４５】
以上のような表示を行う第１の実施の形態においては、１つのＰ．ＥＱカーブと、このＰ．ＥＱに対応する５つ全てのパラメータとを一括して１つの表示画面に表示できるため、パラメータを１つずつ表示部５または６に呼出して調整するといった面倒な作業が不要である。したがって、パラメータ調整を簡単に行うことができ、周波数特性を迅速且つ適確に制御することが可能となる。
【００４６】
▲４▼Ｐ．ＥＱカーブ全領域表示…図１０、図１１参照
図１０に示すように、スレーブユニット２側ではステップ５−１にてＰ．ＥＱキーの押下げを検出すると、音場データ設定・送信手段８が一覧データ表示手段１３にＰ．ＥＱカーブのフロント（リア）のバンド１におけるパラメータ１〜５を送る。一覧データ表示手段１３がＰ．ＥＱカーブのフロント（リア）のバンド１におけるパラメータ１〜５を取得すると（ステップ５−２）、次にバンド２におけるパラメータ１〜５を取得し（ステップ５−３）、最後にバンド３におけるパラメータ１〜５を取得する（ステップ５−４）。これにより、ステップ５−５にて一覧データ表示手段１３が第２の表示部６の所定の位置にＰ．ＥＱカーブの全領域を表示する。このようなＰ．ＥＱカーブ全領域表示の実行結果画面例としては、図１１に示すように画面全体を横長に使って表示する例などが適当である。
【００４７】
以上のように、一覧データ表示手段１３がＰ．ＥＱカーブの全領域を連続的に表示できるため、Ｐ．ＥＱカーブ全体を視認することができ、Ｐ．ＥＱ表示データに対する視認性・操作性が大きく向上する。
【００４８】
▲５▼Ｐ．ＥＱカーブ連動表示…図１２〜図１４参照
最後に、Ｐ．ＥＱカーブ連動表示について説明する。まず図１２に示すようにセンターユニット１側において、ステップ６−１にてＰ．ＥＱキーの押下げを検出すると、ステップ６−２にてセンターユニット１の操作手段９からスレーブユニット２側の音場データ設定・送信手段８に対し、所望のＰ．ＥＱカーブに関するＰ．ＥＱ表示データを要求するコマンドを送信する。ここでは、１つのＰ．ＥＱカーブとこのＰ．ＥＱカーブに対応する５つのパラメータ全てとを一括表示したＰ．ＥＱカーブ・パラメータ一括データを要求するコマンドを送信する。ステップ６−３ではスレーブユニット２側からの要求コマンドの応答として音場データ表示手段１０がＰ．ＥＱ表示データを受信したかを判定する。
【００４９】
受信するまでは処理をウェイトするが、音場データ表示手段１０がＰ．ＥＱ表示データを受信したら、表示状況データ送信手段１１が第１の表示部５における表示状況データとしてこれを検出し、ステップ６−４にてスレーブユニット２側のデータ監視手段１２に表示許可用のＰ．ＥＱコマンドを送信する。そして、ステップ６−５にて音場データ表示手段１０が所望のＰ．ＥＱカーブ・パラメータ一括データを第１の表示部５の所定の位置に表示実行する。
【００５０】
なお、Ｐ．ＥＱカーブ・パラメータ一括表示に関しては、表示場所が第２の表示部６ではなく第１の表示部５である点を除いて、前述した図８のフローチャートと同じ動作を行っている。すなわち、音場データ設定・送信手段８がセンターユニット１側の音場データ表示手段１０に対してカレントバンドデータを順次送る。そして、音場データ表示手段１０が音場データ設定・送信手段８からカレントバンドデータを取得すると（ステップ４−２）、第１の表示部５の所定の位置にカレントバンドデータを表示する（ステップ４−３）。さらには、音場データ設定・送信手段８が音場データ表示手段１０に５つのパラメータを順次送り、音場データ表示手段１０がこれを取得して第２の表示部５の所定の位置に順次表示していく（ステップ４−４からステップ４−８まで…図８参照）。
【００５１】
一方、図１３に示すようにスレーブユニット２側では、音場データ設定・送信手段８がセンターユニット１からＰ．ＥＱ表示データ要求コマンドを受信したかどうかを判定する（ステップ７−１）。受信するまでは処理をウェイトするが、受信したならば、音場データ設定・送信手段８がＧ．ＥＱ表示データをセンターユニット１側に送信する（ステップ７−２）。
【００５２】
その後、ステップ７−３にてデータ監視手段１２がセンターユニット１側からの表示許可用Ｐ．ＥＱコマンドの受信したかどうかを判定する。ステップ７−１と同様、受信するまでは処理をウェイトするが、データ監視手段１２が表示許可用Ｐ．ＥＱコマンドを受信すれば、一覧データ表示手段１３は音場データ設定・送信手段８に設定されたＰ．ＥＱカーブ全領域を第２の表示部６に表示実行する（ステップ７−４）。最後にステップ７−５にて、Ｐ．ＥＱカーブ全領域において、第１の表示部５に表示されたＰ．ＥＱカーブと等しい部分周辺に上下方向から矢印を表示する。
【００５３】
なお、Ｐ．ＥＱカーブ全領域表示に関しては、前述した図１０のフローチャートと同じ動作を行う。また、上記の説明ではウェイト処理は存在するが、応答時間の監視やコマンド／表示データの再送信はなどのエラー処理は説明の都合上、省略されているが、実際のシステムでは言うまでもなく行われている。
【００５４】
図１４では以上のようなＰ．ＥＱカーブ連動表示の実行結果画面例を示しており、上段が第１の表示部５におけるＰ．ＥＱカーブ・パラメータ一括表示（図９と同じ）、下段が第２の表示部６におけるＰ．ＥＱカーブ全領域表示（図１１と同じ）に上下方向の矢印を加えたものである。Ｐ．ＥＱカーブ連動表示モードではＰ．ＥＱカーブ・パラメータ一括表示を第２の表示部６側ではなく、第１の表示部５側に表示している。つまり、２種類の一括表示を行う場合は、そのうちの片方を音場データ表示手段１０が表示実行するようになる。そのため、図１４の表示部の表示内容を入れ替えることも可能である。すなわち第１の表示部５側にＰ．ＥＱカーブ全領域の表示に上下方向の矢印を加えたものを表示し、第２の表示部６側にＰ．ＥＱカーブ・パラメータ一括データを表示しても構わない。この場合は、Ｐ．ＥＱカーブ全領域表示に関して、音場データ設定・送信手段８から音場データ表示手段１０に、Ｐ．ＥＱカーブ全領域表示に関するデータを送ることによって、音場データ表示手段１０が第１の表示部５にＰ．ＥＱカーブ全領域表示を行う。
【００５５】
上記のようなＰ．ＥＱカーブ連動表示を行う第１の実施の形態によれば、第１の表示部５に１つのＰ．ＥＱカーブおよび５つのパラメータを表示すると同時に、第２の表示部６にはＰ．ＥＱカーブ全領域を連動して表示することができるので、先に述べたＰ．ＥＱカーブ・パラメータ一括表示による効果と、Ｐ．ＥＱカーブ全領域表示による効果を合わせ持つことができる。しかも、第２の表示部６側のＰ．ＥＱカーブ全領域中の矢印がマークとなって、第１の表示部５に表示されたＰ．ＥＱカーブがＰ．ＥＱカーブ全領域のどの部分なのかが即座に理解できるため、視認性および操作性がいっそう向上し、Ｐ．ＥＱカーブ全体のイメージを把握しつつ、所望のＰ．ＥＱ表示データに関して適確で迅速なイコライザ調整制御を行うことが可能となる。
【００５６】
（２）第２の実施の形態
［構成］
請求項６〜９の発明を包含する第２の実施の形態の構成について、図１５のシステムブロック図を参照して具体的に説明する。なお、以下に述べる実施の形態は、タイトル入力機能を有する音響装置であり、この点以外の基本的な構成は上記第１の実施の形態と同様なので、同一部分については同一符号を付し、説明を省略する。ただし、スレーブユニット２側にはスペクトルアナライザが内蔵されており、第２の表示部６にはタイトル入力表示モード時を除いてスペクトルアナライザによる表示が実行されている。
【００５７】
第２の実施の形態におけるセンターユニット１には、タイトル入力操作手段１６と、タイトル入力表示手段１７とが設けられている。タイトル入力表示手段１７はタイトル入力操作手段１６からのタイトル入力操作信号を受けてタイトル入力表示を第１の表示部５に表示実行するようになっている。
【００５８】
ところで、センターユニット１に組込まれた表示状況データ送信手段１１は、タイトル入力操作手段１６からタイトル入力操作信号を受取り、これをタイトル入力コマンド（請求項でいうところのタイトル入力開始信号）としてスレーブユニット２側に送信するように構成されている。さらに表示状況データ送信手段１１は、第１の表示部５における表示状況データとしてタイトル入力状態データあるいは入力中または入力完了したタイトル文字のデータを、選択的にスレーブユニット２側に送信するように構成されている。
【００５９】
スレーブユニット２には音源データ表示手段１８が設けられている。この音源データ表示手段１８は第１の表示部５が表示しているタイトル入力表示に対応してラジオの受信周波数を表示実行するように構成されている。音源データ表示手段１８はデータ監視手段１２が表示状況データ送信手段１１からタイトル入力コマンド（タイトル入力開始信号）を受信した際に、動作するようになっている。
【００６０】
さらに、スレーブユニット２にはタイトル入力状態を表示実行するタイトル入力状態表示手段１９と、入力中または入力完了したタイトル文字を表示実行するタイトル文字表示手段２０が設けられている。これらの表示手段１９，２０は、データ監視手段１２が表示状況データ送信手段１１から表示状況データとしてタイトル入力状態データあるいは入力中または入力完了したタイトル文字のデータを受信したときに、第２の表示部６にタイトル入力状態あるいは入力中または入力完了したタイトル文字の表示を実行するように構成されている。
【００６１】
［作用および効果］
以上のような構成を有する第２の実施の形態においては、タイトル入力に際して、▲１▼タイトル入力連動表示、▲２▼タイトル状態入力表示、▲３▼タイトル入力文字表示という３つのモードをとる。
【００６２】
▲１▼タイトル入力連動表示…図１６〜図１９参照
まず図１６に示すようにセンターユニット１側では、ステップ８−１にてタイトル入力操作手段１６におけるタイトル入力キーの押下げを検出する。ステップ８−２ではスレーブユニット２側との接続の有無を判定しており、スレーブユニット２との接続がない場合はステップ８−４に移る。また、スレーブユニット２と接続している場合はステップ８−３にて、表示状況データ送信手段１１がスレーブユニット２に対しタイトル入力キーの押下げを知らせるタイトル入力コマンド（タイトル入力開始信号）を送信し、それからステップ８−４に移る。ステップ８−４ではタイトル入力表示手段１７がタイトル入力操作手段１６からのタイトル入力操作信号を受けてタイトル入力表示を第１の表示部５に表示実行する。
【００６３】
一方、図１７に示すようにスレーブユニット２側では、ステップ９−１にてセンターユニット１からのタイトル入力コマンド（タイトル入力開始信号）の受信を検出する。そして、スレーブユニット２のデータ監視手段１１がタイトル入力コマンドを受信すると、ステップ９−２にて音源データ表示手段１８が第２の表示部６のラジオの受信周波数を表示実行する。
【００６４】
図１８はタイトル入力連動表示前の実行結果画面例、図１９はタイトル入力連動表示の実行結果画面例を示している。すなわちタイトル入力連動表示前はセンターユニット１はチューナーとして機能しており、第１の表示部５はラジオの放送局名と受信周波数を表示している（図１８上段）。一方、スレーブユニット２側の第２の表示部６はスペアナ表示となっている（図１８下段）。これに対して、タイトル入力連動表示モードになると、図１９上段に示すように第１の表示部５はタイトル入力表示となり、図１９下段に示すように第２の表示部６がラジオの放送局名と受信周波数を表示する。
【００６５】
このようなタイトル入力連動表示を行う第２の実施の形態によれば、センターユニット１側の表示部５がタイトル入力表示を行うと同時に、スレーブユニット２側の表示部６が音源データとしてラジオの放送局名と受信周波数を表示することができる。つまり、タイトル入力を実行開始しても、音源データを継続して表示することが可能であり、タイトル入力操作時の視認性および操作性が格段に向上する。その結果、タイトル入力操作を行い易くなり、タイトル入力機能を十分に活かすことができる。
【００６６】
▲２▼タイトル状態入力表示…図２０、図２１参照
タイトル入力表示手段１７がタイトル入力表示を第１の表示部５に表示実行すると、表示状況データ送信手段１１は第１の表示部５での表示状況データとしてタイトル入力状態データをスレーブユニット２側のデータ監視手段１２に送信する。この送信コマンドは前記図１６中のステップ８−３におけるタイトル入力コマンドに付加されてスレーブユニット２側に送信される。
【００６７】
図２０に示すようにスレーブユニット２側では、ステップ１０−１、ステップ１０−２にて前記図１７中のステップ９−１、ステップ９−２と同じ処理を行った後、ステップ１０−３においてタイトル入力状態データの受信を検出する。そしてスレーブユニット２側のデータ監視手段１２がタイトル入力状態データを受信すると、タイトル入力状態表示手段１９は第２の表示部６にタイトル入力状態を表示実行する（ステップ１０−４）。図２１は第２の表示部６におけるタイトル状態入力表示の実行結果画面例を示している。すなわち中央行に『Ｉｎｐｕｔ  Ｍｏｄｅ』という文字を表示している。
【００６８】
このようなタイトル入力状態表示を行う第２の実施の形態によれば、タイトル入力状態を第２の表示部６に表示することができるため、第１の表示部５側がタイトル入力状態であることがより明白となり、視認性・操作性の向上が期待できる。これにより、タイトル入力操作に対するユーザーの心理的負担を軽減でき、タイトル入力機能の利用頻度を高めることができる。
【００６９】
▲３▼タイトル入力文字表示…図２２、図２３参照
センターユニット１側において図２２中のステップ１１−１、ステップ１１−２、ステップ１１−３は前記図１６中のステップ８−２、ステップ８−３、ステップ８−３４同じなので説明は省略する。ステップ１１−４ではセンターユニット１の第１の表示部５において、表示されるタイトル入力文字に変更があったかを判断する。変更があれば、ステップ１１−５にて表示状況データ送信手段１１がスレーブユニット２側のデータ監視手段１２にタイトル文字のデータを送信する。
【００７０】
その後、ステップ１１−６ではタイトル入力終了キーの押下げを検出する。キーの押下げがあれば、ステップ１１−７にてタイトル入力終了コマンドをスレーブユニット２側に送信し、タイトル入力処理を終了させる。また、キーの押下げがなければ、再度ステップ１１−４に戻り、タイトル入力文字の変更を監視する。
【００７１】
一方、スレーブユニット２側において図２３中のステップ１２−１、ステップ１２−２は前記図２０中のステップ１０−１、ステップ１０−２と同一なので説明は省略する。ステップ１２−３ではスレーブユニット２のデータ監視手段１２が表示状況データ送信手段１１からタイトル文字のデータを受信したかを判断する。タイトル文字のデータの受信があれば、ステップ１２−４にて受信したタイトル文字のデータをタイトル文字表示手段２０が第２の表示部６に表示実行する。また、タイトル文字のデータの受信がなければ、ステップ１２−５に移る。ステップ１２−５ではセンターユニット１側から送信されるタイトル入力終了コマンドを監視し、タイトル入力終了コマンドを受信すれはタイトル入力処理を終了させ、タイトル入力終了コマンドを受信しなければステップ１２−１に戻る。
【００７２】
以上のタイトル入力文字表示における実行結果画面例は図示しないが、図２１にて示したタイトル状態入力表示の実行結果画面例中の中央行に、「ＩｎｐｕｔＭｏｄｅ」という文字に代えて、入力中あるいは入力完了した文字が表示されるようになっている。
【００７３】
以上のようなタイトル入力文字表示を行う第２の実施の形態においては、タイトル文字表示手段２０が入力中または入力完了したタイトル文字を第２の表示部に表示実行するため、タイトル入力モード画面では確認することができなかった入力中または入力完了したタイトル文字について、第２の表示部６で確認しながら、第１の表示部５側でタイトル入力操作を行うことができる。したがって、入力ミスを減らすことができ、優れた入力操作性を獲得することができる。
【００７４】
（３）他の実施の形態
なお、本発明は以上のような実施の形態に限定されるものではなく、例えば、周波数特性カーブのバンド数やパラメータ設定数などは適宜変更可能であり、また各ユニットに付加される機能についても適宜選択可能である。さらに、本発明は視認性および操作性が優れているため車載用音響装置として最適であるが、これに限らず、ＣＤプレーヤ、ＭＤプレーヤあるいはカセットテーププレーヤなどの複数のデッキからなるコンポーネントタイプの音響装置にも適用可能である。
【００７５】
【発明の効果】
以上説明したように、本発明によれば、それぞれ独立した表示部を有する主ユニットおよび従ユニットを備え、主ユニット側にデータ表示手段を設けると共に、従ユニット側に前記データ表示手段が表示するデータと関連する一覧データあるいは音源データを表示する手段を設けるといった簡単な構成により、イコライザ機能あるいはタイトル入力機能などデータ表示機能を有する音響装置において、データ表示の視認性および操作性の向上を図ることができた。
【図面の簡単な説明】
【図１】第１の実施の形態の構成を示すシステムブロック図。
【図２】センターユニット１およびスレーブユニット２の概略を示す正面図。
【図３】第１の実施の形態におけるＧ．ＥＱカーブ一括表示処理を示すフローチャート。
【図４】第１の実施の形態におけるＧ．ＥＱカーブ一括表示の実行結果画面例。
【図５】第１の実施の形態におけるＧ．ＥＱカーブ連動表示処理を示すフローチャート（センターユニット１側）。
【図６】第１の実施の形態におけるＧ．ＥＱカーブ連動表示処理を示すフローチャート（スレーブユニット２側）。
【図７】第１の実施の形態におけるＧ．ＥＱカーブ連動表示の実行結果画面例。
【図８】第１の実施の形態におけるＰ．ＥＱカーブ・パラメータ一括表示処理を示すフローチャート。
【図９】第１の実施の形態におけるＰ．ＥＱカーブ・パラメータ一括表示の実行結果画面例。
【図１０】第１の実施の形態におけるＰ．ＥＱカーブ全領域表示処理を示すフローチャート。
【図１１】第１の実施の形態におけるＰ．ＥＱカーブ全領域表示の実行結果画面例。
【図１２】第１の実施の形態におけるＰ．ＥＱカーブ連動表示処理を示すフローチャート（センターユニット１側）。
【図１３】第１の実施の形態におけるＰ．ＥＱカーブ連動表示処理を示すフローチャート（スレーブユニット２側）。
【図１４】第１の実施の形態におけるＰ．ＥＱカーブ連動表示の実行結果画面例。
【図１５】第２の実施の形態の構成を示すシステムブロック図。
【図１６】第２の実施の形態におけるタイトル入力連動表示処理を示すフローチャート（センターユニット１側）。
【図１７】第２の実施の形態におけるタイトル入力連動表示処理を示すフローチャート（スレーブユニット２側）。
【図１８】タイトル入力連動表示前の実行結果画面例。
【図１９】タイトル入力連動表示の実行結果画面例。
【図２０】第２の実施の形態におけるタイトル状態入力表示処理を示すフローチャート。
【図２１】タイトル状態入力表示の実行結果画面例。
【図２２】第２の実施の形態におけるタイトル入力文字表示処理を示すフローチャート（センターユニット１側）。
【図２３】第２の実施の形態におけるタイトル入力文字表示処理を示すフローチャート（スレーブユニット２側）。
【符号の説明】
１…センターユニット
２…スレーブユニット
３…第１の操作部
４…第２の操作部
５…第１の表示部
６…第２の表示部
７…バスライン
８…音場データ設定・送信手段
９…操作手段
１０…音場データ表示手段
１１…表示状況データ送信手段
１２…データ監視手段
１３…一覧データ表示手段
１６…タイトル入力操作手段
１７…タイトル入力表示手段
１８…音源データ表示手段
１９…タイトル入力状態表示手段
２０…タイトル文字表示手段
【図１】
0003959170.tif 000002
【図２】
0003959170.tif 000003
【図３】
0003959170.tif 000004
【図４】
0003959170.tif 000005
【図５】
0003959170.tif 000006
【図６】
0003959170.tif 000007
【図７】
0003959170.tif 000008
【図８】
0003959170.tif 000009
【図９】
0003959170.tif 000010
【図１０】
0003959170.tif 000011
【図１１】
0003959170.tif 000012
【図１２】
0003959170.tif 000013
【図１３】
0003959170.tif 000014
【図１４】
0003959170.tif 000015
【図１５】
0003959170.tif 000016
【図１６】
0003959170.tif 000017
【図１７】
0003959170.tif 000018
【図１８】
0003959170.tif 000019
【図１９】
0003959170.tif 000020
【図２０】
0003959170.tif 000021
【図２１】
0003959170.tif 000022
【図２２】
0003959170.tif 000023
【図２３】
0003959170.tif 000024